(57)【特許請求の範囲】
【請求項１】
床梁および床板により構成される床部を有する建物ユニットが互いに床梁を対峙して組み立てられたユニット建物において、建物ユニットの床部に床板上面から床梁の外側面に至る気密フィルムを設けるとともに、該気密フィルムの端部に該端部を前記床梁の前記外側面に貼着するための粘着剤層を設け、更に、前記対峙した床梁の間にシール部材を挟持させたことを特徴とする建物の気密構造。
【請求項２】
床梁に面する隙間を気密にするシール部材が、遅延された形状回復性を有する発泡体であることを特徴とする請求項１に記載の建物の気密構造。
【請求項３】
床梁および床板により構成される床部を有する建物の気密構造化方法であって、前記床部を建築現場に運ぶ前に、該床部に床板上面から床梁の外側面にわたって気密フィルムを設けるとともに、該気密フィルムの端部に設けられた粘着剤層により前記気密フィルムの前記端部を前記床梁の外側面に貼着し、床梁に面する隙間に遅延された形状回復性を有する発泡体を介在させ、この発泡体の形状を回復させて床梁に面する隙間を充満させることを特徴とする建物の気密構造化方法。
【発明の詳細な説明】
【０００１】
【発明の属する技術分野】
この発明は、建物の床梁と床板との間や床梁間からの空気の流入を効果的に防止することができる建物の気密構造、その気密構造に用いられる気密構造材、及び建物の気密構造化方法に関する。
【０００２】
【従来の技術】
従来、工場で箱形の建物ユニットを製造し、複数の建物ユニットを建築現場で組み立てる、いわゆるユニット工法による建物が普及している。
【０００３】
このような建物においては、床梁と床板との間や床梁間の気密性を確保することが一つの課題である。
従来の建物ユニットの床部および壁部の断面構造は、図６に示すとおり、床梁２１と床根太２２と床板２３とで床部が構成されている。この構成では、床根太２２は間隔をおいて配列されているため、床梁２１と床板２３との間に隙間が存在し、外壁２４と内壁２５間へ、屋外の冷気が矢印Ｑで示す経路で侵入し易い構成となっている。
【０００４】
上記従来の冷気侵入を防ぐ構造として、特開平７−４８９１８号公報に「建物ユニットのシール構造」が提案されている。この建物ユニットのシール構造を図７および図８に示す。図７はシール構造の床部分の一例を示した斜視図である。図７において、３１は床根太、３２は床根太３１に取付けられた床板、３３は妻床梁、３４は妻床梁３３に立設されたスタッド（間柱）、３５および３６は床根太３１と妻床梁３３との間に設けられた長尺平板状の木製シール部材であり、床根太３１は妻床梁３３上に釘止めされている。
【０００５】
図８は図７に示したシール部材の斜視図である。図８において、３７はシール部材３５および３６に設けられたスタッド３４用の切欠き、３８はシール部材３５の床板当接面、３９はシール部材３５の床根太当接面、４０はシール部材３６の妻床梁当接面、４１はシール部材３６の床根太当接面である。
【０００６】
シール部材３５および３６を用いて床板３２と妻床梁３３との間の隙間をシールするには、シール部材３５および３６の切欠き３７をスタッド３４に挿入し、シール部材３６の妻床梁当接面４０を妻床梁３３に、床根太当接面４１を床根太３１の側面に、シール部材３５の床根太当接面３９を床根太３１の上面に当接させてシール部材３５および３６を床根太３１に釘打ちする。次いで床板３２の側面をシール部材３５の床板当接面３８に当接させて床板３２を固定する。これにより、床板３２と妻床梁３３との間の隙間がシールされ、床面の矢印Ｒ方向からの空気の流出入が防止される。
【０００７】
【発明が解決しようとする課題】
しかし、上記の建物ユニットのシール構造においては、建物ユニットの床部および壁部間の気密性は確保されているが、隙間を防ぐための複雑な形状をした専用部品が必要である。また、隣り合う建物ユニットの床梁間の気密構造については考慮されておらず、床梁間の隙間から屋外の冷気が流れ込むことを防ぐことができない。
【０００８】
この発明は、上記の点に鑑み、簡便な構造で建物の床梁間や床梁と床板との間からの空気の流入を効果的に防止することができる建物の気密構造、その気密構造に用いられる気密構造材、及び建物の気密構造化方法を提供することを目的とする。
【０００９】
【課題を解決するための手段】
請求項１に記載の建物の気密構造は、床梁および床板により構成される床部を有する建物ユニットが互いに床梁を対峙して組み立てられたユニット建物において、建物ユニットの床部に床板上面から床梁の外側面に至る気密フィルムを設けるとともに、該気密フィルムの端部に該端部を前記床梁の前記外側面に貼着するための粘着剤層を設け、更に、前記対峙した床梁の間にシール部材を挟持させたことを特徴としている。
【００１０】
請求項２に記載の建物の気密構造は、請求項１に記載の建物の気密構造において、床梁に面する隙間を気密にするシール部材が、遅延された形状回復性を有する発泡体であることを特徴としている。
【００１１】
請求項３に記載の建物の気密構造化方法は、床梁および床板により構成される床部を有する建物の気密構造化方法であって、前記床部を建築現場に運ぶ前に、該床部に床板上面から床梁の外側面にわたって気密フィルムを設けるとともに、該気密フィルムの端部に設けられた粘着剤層により前記気密フィルムの前記端部を前記床梁の外側面に貼着し、床梁に面する隙間に遅延された形状回復性を有する発泡体を介在させ、この発泡体の形状を回復させて床梁に面する隙間を充満させることを特徴としている。
【００１３】
前記の気密フィルムがポリエチレンフィルムであると、気密性に優れ、気密フィルムの取付けが容易となる。
【００１４】
請求項１に記載の発明において、シール部材としては、弾性を有するゴム、合成樹脂、合成樹脂発泡体等のシートがあげられる。特に好ましいシール部材としては、遅延された形状回復性を有する発泡体があげられる。
この遅延された形状回復性を有する発泡体とは、当初収縮状態になっていて、徐々に形状が、収縮前の元の原料発泡体の厚みまでほぼ回復するようになっている独立気泡発泡体をいう。
【００１５】
このような発泡体としては、例えば、出願人が出願中の、特願平７−２９９６５４号に記載されているような発泡体、すなわち、常温にて形状回復性を有する独立発泡体からなり、弾性変形領域内の歪み幅で収縮し、厚み方向に形状回復可能とした発泡体や、同じく出願人が出願中の特願平８−７２４４号に記載しているような発泡体、すなわち、原料発泡体表面から内部の所望の独立気泡まで達する通気路を穿設し、これを弾性変形領域内の歪み幅で収縮することによって得られる遅延された形状回復性を備えた発泡体等があげられる。特に、常温・常圧下、数日〜数十日で厚み等がほぼ２〜６倍に回復するような発泡体が好適に用いられる。
【００１６】
【作用】
請求項１に記載の建物の気密構造によれば、床上面から床梁の外側面に至る気密フィルムを設けたため、床梁と床板との間の気密性を高めることができるとともに、隣接する建物ユニットの床梁の間にシール部材を挟持させたため、床梁間の気密性を高めることができる。よって、屋外の冷気の侵入が防止できる。
【００１７】
また、気密フィルムの端部に該端部を床梁の外側面に貼着するための粘着剤層が設けられているので、床梁への気密フィルムの取付けが容易となり、且つ建物ユニット等の床梁に気密フィルムを予め貼着しておくことができ、現場作業の工数が軽減される。
【００１８】
請求項２に記載の建物の気密構造によれば、上記請求項１に記載の建物の気密構造と同様の作用を奏するとともに、シール部材が遅延された形状回復性を有する気泡発泡体であるので、予め床梁に装着しておいても、発泡体が薄いままで輸送・組立できるので、輸送・組立の障害とならず、その後に形状が回復して床梁に面する間隔を埋めるので気密性を保つことができる。
【００１９】
請求項３に記載の建物の気密構造化方法によれば、床梁および床板により構成される床部を有する建物の床部に床板上面から床梁の外側面にわたって気密フィルムを設けるので、建物の床梁と床板との間からの空気の流入を効果的に防止するとともに、床梁に面する隙間にシール部材として遅延された形状回復性を有する発泡体を介在させ、この発泡体の形状を回復させて床梁に面する隙間を充満させるので、床梁の隙間を形成する面に予め発泡体を取り付けておくことができる等、建築現場でのシール部材の取付けをなくすことができ、現場作業を軽減でき、かつ床梁に面する隙間を気密構造化できる。
【００２０】
【発明の実施の形態】
次に、この発明の実施の形態をユニット建物に適用した例について添付図面を参照して説明する。
【００２１】
図１はユニット建物の一階配置図、図２は図１のＡ−Ａ線における断面図、図３は図１のＢ−Ｂ線における断面図、図４は図１のＣ−Ｃ線における断面図である。
【００２２】
建物ユニットは、図２〜図４に示すとおり、床梁１、床根太２及び床板３とにより構成される床部を有するものであって、図１に示すとおり、その６個の建物ユニットＡ１〜Ａ６が互いに隣接して組み立て、ユニット建物の一階部分としている。
【００２３】
建物ユニットＡ１、Ａ２の妻側同士の継ぎ部は、図２に示すとおり、建物ユニットＡ１、Ａ２の妻側の床梁１、１を対峙した状態で基礎Ｂ上に載置して固定することによってなされる。床梁１、１の間隙はほぼ２０ｍｍである。
そして、それぞれの建物ユニットＡ１、Ａ２の床部においては、床板３の上面から床梁１の外側面にわたって気密フィルム１３を張設することによって気密処理を施している。また、床梁１、１の間にシール部材１１を挟持させる。５は内壁である。
【００２４】
建物ユニットＡ１、Ａ３の桁側同士の継ぎ部は、図３に示すとおり、建物ユニットＡ１、Ａ３の桁側の床梁１、１を対峙した状態で基礎Ｂ上に載置して固定することによってなされる。床梁１、１の間隙はほぼ２０ｍｍである。
そして、それぞれの建物ユニットＡ１、Ａ３の床部においても、前記の建物ユニットＡ１、Ａ２の妻側同士の継ぎ部におけると同様に気密フィルム１３を張設する。また、床梁１、１の間にシール部材１１を挟持させる。なお、この継ぎ部においては、一方の建物ユニットＡ１に浴室ユニットが設置されて浴室とされるものであり、内壁を有していない。
【００２５】
ユニット建物の外壁部における気密構造化方法は、図４に示すとおり、外壁４の下端部で床梁１と外壁間の隙間にシール部材１１ａを挟持させ、隙間を塞ぐ。また、外壁４と内壁５間および床根太２の下側にガラスウールの断熱材１２が装填される。さらに床梁と床板との間の気密化を図るため、気密フィルムを設置する。
【００２６】
この気密フィルムは２つが設定されるものであり、一方は床板３の上面から内壁５の下部を経て床梁１の外側面に至る気密フィルム１３であり、他方は床板３の上面から内壁５の下部を経て内壁５の側面の上方に至る気密フィルム１３ａである。
【００２７】
これらの実施形態においては、気密フィルム１３、１３ａとして、厚さ０．１ｍｍのポリエチレンフィルムが用いられる。
そして、上記の気密フィルム１３の張設にあたっては、気密フィルム１３の一端部に、ポリオレフィン発泡体等の発泡体からなる基材の両面に粘着剤層を設けた両面粘着テープ１５を予め貼着したものを用い、これを工場において製造した建物ユニットの床梁１の外側面にその表面の粘着面を貼着し、床板３の上に巻き上げておき、建築現場に運び、建物ユニット組み立ての際に、気密フィルム１３の他端を粘着テープ１４等で床板３に固定する方法をとるのが好ましい。
【００２８】
また、床梁１、１の間や床梁１と外壁４の下端との間に挟持するシール部材１１、１１ａとして、遅延された形状回復性を有する発泡体が用いられる。すなわち、原料発泡体（オレフイン系樹脂独立気泡発泡体、発泡倍率２０〜５０倍）をその表面から内部の所望の独立気泡まで達する通気路を直径５００μｍの針で穿設し（通路密度１〜１５孔／ｃｍ2 ）、これを弾性変形領域内の歪み幅で１／２〜１／５程度に圧縮して得られる発泡体が用いられる。この遅延された形状回復性を備えた発泡体は、常温・常圧下、数日〜数十日で厚み等がほぼ２〜５倍程度に回復するものである。例えば、厚さ５ｍｍであって、形状回復後には２０ｍｍ強の厚さとなる発泡体が用いられる。
そして、この発泡体は予め一方の建物ユニットＡ１、Ａ２の何れか一方の床梁１の外側面に貼着されて用いられる。
【００２９】
図５は、建物ユニット柱８を挟んだ建物ユニットの妻面側Ａと桁面側Ｂにおける気密フィルム１３の設置の状態を示す斜視図である。図５における気密フィルム１３は点線の斜線で示しており、床板３から床梁１の妻面側Ａおよび桁面側Ｂの外側へ、全周において床根太２を覆って設置される。気密フィルム１３の外側の端部は、床梁１の下端からほぼ６０ｍｍ上部に位置するように設置される。
【００３０】
上記の構成で気密フィルム１３が設置されるため、屋内の高い気密性が構成される。よって、屋外の冷気の侵入が妨げられる。専用部品が不要であり、一般的な気密フィルムおよび粘着テープのみで構成できる。間柱部においても気密層が連続する。
また、床梁１、１の間にシール部材１１を挟持させているため、隣接する建物ユニットの継ぎ目の気密性を高めることができる。よって、屋外の冷気の侵入が防止できる。
【００３１】
なお、上述の実施例はこの発明の好適な実施の一例ではあるがこれに限定されるものではなくこの発明の要旨を逸脱しない範囲において種々変形実施可能である。
【００３２】
【発明の効果】
請求項１に記載の発明のユニット建物の気密構造は、床板の上面から内壁の下部を経由して床梁の外側面に至る気密フィルムを設けたため、床梁と床板との間の気密性が高められる。よって、屋外の冷気の侵入を防止できる。また、一般的な気密フィルムおよび粘着テープのみで構成され、専用部品が不要である。同時に、隣接する建物ユニットの床梁の間にシール部材を挟持させたので、隣接する建物ユニットの床梁の間隙からの冷気の進入を防止できる。
【００３３】
また、気密フィルムの端部に該端部を床梁の外側面に貼着するための粘着剤層が設けられているので、床梁の外側面へ気密フィルムを予め貼着しておくことができ、床板の上面から内壁の下部にわたって気密フィルムを張設することが簡便にでき、現場作業の工数が軽減される。
【００３４】
請求項２に記載の発明のユニット建物の気密構造は、上記請求項１に記載の建物の気密構造と同様の作用を奏する上に、シール部材が遅延された形状回復性を有する気泡発泡体であるので、予め床梁に装着しておいても、発泡体が薄いままで輸送・組立でき、輸送・組立の障害とならず、その後に形状が回復して床梁に面する間隔を埋めて隣接する建物ユニットの床梁の間隙からの冷気の進入を防止できる。
【００３５】
請求項３に記載の建物の気密構造化方法によれば、床梁および床板により構成される床部を有する建物の床部に床板上面から床梁の外側面にわたって気密フィルムを設けるので、建物の床梁と床板との間からの空気の流入を効果的に防止するとともに、床梁に面する隙間にシール部材として遅延された形状回復性を有する発泡体を介在させ、この発泡体の形状を回復させて床梁に面する隙間を充満させるので、床梁の隙間を形成する面に予め発泡体を取り付けておくことができる等、建築現場でのシール部材の取付けをなくすことができ、現場作業を軽減でき、かつ床梁に面する隙間を気密構造化できる。
【図面の簡単な説明】
【図１】建物ユニットの配置例を示す平面図である。
【図２】図１のＡ−Ａ断面図である。
【図３】図１のＢ−Ｂ断面図である。
【図４】図１のＣ−Ｃ断面図である。
【図５】建物ユニットの妻面側と桁面側における気密フィルムの設置の状態を示す斜視図である。
【図６】従来例１の床部および壁部の断面構造図である。
【図７】従来例２の建物ユニットのシール構造の床部分を示す斜視図である。
【図８】図７に示したシール部材の斜視図である。
【符号の説明】
１    床梁
２    床根太
３    床板
４    外壁
５    内壁
１１  シール部材（遅延された形状回復性を有する発泡体）
１３  気密フィルム
１４、１５  粘着テープ
Ａ１〜Ａ６  建物ユニット
【図１】
0003782539.tif 000002
【図２】
0003782539.tif 000003
【図３】
0003782539.tif 000004
【図４】
0003782539.tif 000005
【図５】
0003782539.tif 000006
【図６】
0003782539.tif 000007
【図７】
0003782539.tif 000008
【図８】
0003782539.tif 000009